(57)【要約】【課題】分割回折格子を具備する光ピックアップ装置に於いて、分割回折格子が組み込まれたホルダをハウジングに組み込んだのちに、分割回折格子の回動方向の調整を容易にする光ピックアップ装置を提供する。【解決手段】本発明の光ピックアップ装置では、分割回折格子が組み込まれる第１ホルダ１５と、この第１ホルダ１５と回動自在に結合される第２ホルダ１７とから成る回折格子ホルダ１４を具備し、偏心ピンが当接可能であり且つ第１ホルダ１５側への接着材の流出を防止する突出部２０を第２ホルダ１７に設けた。従って、接着材を用いて回折格子ホルダ１４の第２ホルダ１７をハウジングに接着しても、第２ホルダ１７とハウジングとの間に塗布された接着材は、第１ホルダ１５側に流出しない。従って、この後の第１ホルダ１５の回動調整が確実に行われる。【選択図】図２
2011070771.tif 000002
【特許請求の範囲】
【請求項１】
光記録媒体からの読み出し、または光記録媒体への書き込みの少なくとも一方を行う光ピックアップ装置において、
光学素子が組み込まれるハウジングと、分割回折格子が内蔵されて前記ハウジングに組み込まれる回折格子ホルダとを具備し、
前記回折格子ホルダは、内部に前記分割回折格子が収納された第１ホルダと、前記第１ホルダと回動自在に嵌合可能な接続部を有して接着材を介して前記ハウジングに固着される第２ホルダとから成り、
前記第２ホルダに、位置を調節する位置調整用治具が当接可能であり且つ前記接着材の前記第１ホルダ側への流出を抑制し得る突出部を設けることを特徴とする光ピックアップ装置。
【請求項２】
前記分割回折格子が分割される方向に対して略直交する方向に、前記第２ホルダと前記ハウジングとの相対的な位置を調節したのちに、前記接着材を用いて前記第２ホルダは前記ハウジングに固着され、
前記第１ホルダは、回動方向に調整されたのちに前記接着材を用いて前記ハウジングに対して固着されることを特徴とする請求項１記載の光ピックアップ装置。
【請求項３】
前記位置調整用治具にて前記突出部を押圧することで、前記第２ホルダの位置調整を行うことを特徴とする請求項１記載の光ピックアップ装置。
【請求項４】
前記突出部を、前記第２ホルダの外壁に於ける前記第１ホルダ側の端部に設けることを特徴とする請求項１記載の光ピックアップ装置。
【請求項５】
前記接着材は、紫外線硬化型接着材であることを特徴とする請求項１記載の光ピックアップ装置。
【発明の詳細な説明】
【技術分野】
【０００１】
本発明は、光ディスク装置に収納される光ピックアップ装置に関し、特に、分割回折格子が内蔵された回折格子ホルダが接着材を用いてハウジングに固着された光ピックアップ装置に関する。
【背景技術】
【０００２】
従来の光ピックアップ装置１００の構成を、図６を参照して説明する（下記特許文献１を参照）。従来の光ピックアップ装置では、トラッキング誤差を検出する方法として、プッシュプル法が採用されている。
【０００３】
図６を参照して、発光源１０１は、記録再生の光束を放射させる半導体レーザーから成る。コリメータレンズ１０２は、発光原１０１から発生した光ビームを並行ビームに変換する機能を有する。ビームスプリッタ１０３は、コリメータレンズ１０２からの並行ビームを透過させると共に、光ディスク１０９からの反射ビームを反射させる機能を有する。対物レンズ１０８は、光ビームを光ディスク１０９の情報記録面に集光させる機能を有し、さらに、光ディスク１０９からの反射ビームを並行ビームに変換するものである。光束レンズ１０４は、反射ビームを適当な大きさに絞り込むレンズである。光検出器１０５は、２つに分割された領域を有し、これらの領域の出力差は、差動増幅器１０６によって取り出されて、トラッキング誤差信号となる。さらに、このトラッキング誤差信号は、増幅器１０７によって増幅され、増幅された信号により対物レンズ１０８の誤差が調整される。
【０００４】
しかしながら、上述構成の光ピックアップ装置１００では、対物レンズ１０８が点線で示す位置に並進した場合、光検出器１０５上のスポットも点線で示された位置に並進する。従って、集光スポットが光ディスク１０９のトラックの真ん中にあっても、光検出器１０５の上部と下部との受光量が等しくならないことがあった。即ち、オフセットが発生する問題があった。
【０００５】
さらに、光ディスク１０９が傾いた場合でも、集光スポットが光ディスク１０９上の所定の場所にあっても上記と同様に、光検出器１０５の上部と下部との受光量が不均等になるという問題があった。
【０００６】
この問題を解決する方法として数々の方法が提案されている。例えば、下記特許文献２では、その図６に開示されているように、複数に分割された形状の分割回折格子が開示されている。この分割回折格子では、回折格子を上部領域と下部領域とに直線的な分割線により分割し、上部領域と下部領域とでは回折格子の周期が１８０度異なっている。このような分割回折格子を用いることで、上記オフセットの発生が極めて小さくなり、さらに、集光スポットの配置等に要求される精度が緩和される。
【先行技術文献】
【特許文献】
【０００７】
【特許文献１】特公平４−１４１２号公報（第１−３頁、第１−３図）
【特許文献２】特開平９−８１９４２号公報（第１−２，７頁、第６図）
【発明の概要】
【発明が解決しようとする課題】
【０００８】
光ピックアップ装置に上記の分割回折格子を組み込む場合、分割回折格子の位置調整が必要とされる。具体的には、レーザ光の進行方向に対して略直交する面に於ける角度の調整や、分割回折格子の分割される方向に対して略直交する方向に対する調整が必要とされる。このような調整を行うために、分割回折格子は、回動自在に固着された２つのホルダを組み合わせたホルダ組立体の状態で、接着材を用いてハウジングに固着されている。
【０００９】
しかしながら、ホルダ組立体のハウジングへの固着に用いる接着材が、上記した２つのホルダの間に侵入すると、ホルダ組立体をハウジングに固着したのちの分割回折格子の回動方向への調整が困難になる問題があった。
【００１０】
一方、ノートパソコン等の携帯用電子機器は薄型化が進行しており、これらに内蔵される光ディスク装置に用いられる光ピックアップ装置に関しても薄型化が要求される。近年に於いては、厚みが例えば３ｍｍ程度の薄型の光ピックアップ装置が登場してきている。
【００１１】
しかしながら、このような薄型の光ピックアップ装置では、ホルダ組立体をハウジングに固着する際に用いる接着材がはみ出てしまう問題があった。特に、光ピックアップ装置の厚み方向に接着材が突出するようにはみ出ると、突出する接着材が光ディスク装置を構成する他の機器に接触してしまうので、光ピックアップ装置を光ディスク装置に装着できない問題が発生する恐れがある。
【００１２】
本発明はこのような問題を鑑みて成されたものであり、本発明の主な目的は、分割回折格子を具備する光ピックアップ装置に於いて、分割回折格子が組み込まれたホルダをハウジングに組み込んだのちに、分割回折格子の回動方向の調整を容易にする光ピックアップ装置を提供することにある。
【課題を解決するための手段】
【００１３】
本発明は、光記録媒体からの読み出し、または光記録媒体への書き込みの少なくとも一方を行う光ピックアップ装置において、光学素子が組み込まれるハウジングと、分割回折格子が内蔵されて前記ハウジングに組み込まれる回折格子ホルダとを具備し、前記回折格子ホルダは、内部に前記分割回折格子が収納された第１ホルダと、前記第１ホルダと回動自在に嵌合可能な接続部を有して接着材を介して前記ハウジングに固着される第２ホルダとから成り、前記第２ホルダに、位置を調節する位置調整用治具が当接可能であり且つ前記接着材の前記第１ホルダ側への流出を抑制し得る突出部を設けることを特徴とする。
【発明の効果】
【００１４】
本発明の光ピックアップ装置では、分割回折格子が組み込まれる第１ホルダと、この第１ホルダと回動自在に結合される第２ホルダとから成る回折格子ホルダを具備し、位置調整用治具が当接可能であり且つ第１ホルダ側への接着材の流出を防止する突出部を第２ホルダに設けた。従って、接着材を用いて回折格子ホルダをハウジングに接着しても、第２ホルダとハウジングとの間に塗布された接着材は、第１ホルダ側に流出しない。従って、第２ホルダをハウジングに固着したのちでも、第１ホルダは回動可能な状態を維持しているので、第１ホルダを回動させて分割回折格子の回動方向への調整が確実に行われる。
【００１５】
さらに、上記した突出部は、回折格子ホルダの一方向への移動を行うための位置調整用治具が当接するための部位としても機能している。従って、接着材の漏出を防止するための手段を別途に設ける必要が無いことから、光ピックアップ装置の構成を簡素化してコストが低減される。
【図面の簡単な説明】
【００１６】
【図１】本発明に係る光ピックアップ装置の一実施の形態を示す図であり、（Ａ）は一方向から眺めた斜視図であり、（Ｂ）は内装される光学素子の説明図である。
【図２】光ピックアップ装置の回折格子ホルダおよび分割回折格子を示す図であり、（Ａ）は回折格子ホルダの分解斜視図であり、（Ｂ）は回折格子ホルダに内装される分割回折格子の斜視図である。
【図３】光ピックアップ装置の要部を示す図であり、（Ａ）は一方向から眺めた斜視図であり、（Ｂ）は他方向から眺めた斜視図である。
【図４】光ピックアップ装置の製造工程の途中段階を示す斜視図である。
【図５】光ピックアップ装置の製造に用いられる位置調節用治具を示す図であり、（Ａ）は側面図であり、（Ｂ）は正面図である。
【図６】従来の光ピックアップ装置の一形態を示す図である。
【発明を実施するための形態】
【００１７】
以下に本発明に係るピックアップ装置の一実施の形態を図面を参照して説明する。
【００１８】
図１を参照して、本実施の形態の光ピックアップ装置１０における概略的構成を説明する。図１（Ａ）は、光ピックアップ装置１０を全体的に示す斜視図であり、図１（Ｂ）は、光ピックアップ装置１０に内蔵される光学素子を部分的に抜き出して図示した説明図である。
【００１９】
図１（Ａ）および図１（Ｂ）を参照して、本発明は、光記録媒体からの読み出し、または光記録媒体への書き込みの少なくとも一方を行う光ピックアップ装置において、光学素子が組み込まれるハウジング１１と、分割回折格子が内蔵されてハウジング１１に組み込まれる回折格子ホルダ１４とを具備し、回折格子ホルダ１４は、内部に分割回折格子が収納された第１ホルダと、第１ホルダと回動自在に嵌合可能な接続部を有して接着材を介してハウジング１１に固着される第２ホルダとから成る。さらに、第２ホルダに、第２ホルダの位置を調節する位置調整用治具が当接可能であり且つ接着材の第１ホルダ側への流出を抑制し得る突出部を設ける構成とされている。ここで、回折格子ホルダ１４の具体的構成は、図２を参照して後述する。
【００２０】
図１（Ａ）を参照して、光ピックアップ装置１０を説明するための各方向について説明すると、Ｘ方向は光ピックアップ装置１０の縦方向であり、Ｙ方向は光ピックアップ装置１０の横方向であり、Ｚ方向は光ピックアップ装置の厚み方向であり、これらの方向は光ピックアップ装置１０の構造を説明するための便宜上のものである。さらに、Ｘ−Ｙ平面は光記録媒体（不図示）の記録面に対して平行な面であり、Ｚ方向は光記録媒体の記録面に対して略直交する方向である。
【００２１】
本実施の形態に於いて、光記憶媒体として、例えば、ＣＤ−ＲＯＭ、ＤＶＤ−ＲＯＭなどの読出し専用の光ディスクや、ＣＤ−Ｒ、ＤＶＤ−Ｒ、ＤＶＤ＋Ｒなどの追記型の光ディスクや、ＣＤ−ＲＷ、ＤＶＤ−ＲＷ、ＤＶＤ＋ＲＷ、ＤＶＤ−ＲＡＭなどの書込み／消去や書換え可能なタイプの光ディスクなどといった各種光ディスクが挙げられる。
【００２２】
また、光学素子とは、ハウジング１１に収納されて、光記録媒体に記録されたデータの再生や、データの記録に寄与する素子である。具体的には、図１（Ｂ）を参照すると、発光器２３、回折格子ホルダ１４、ハーフミラー２８、光学ヘッド２４、ＦＭＤ２９、非点収差発生板２６、２７、光検出器１３等が光学素子として光ピックアップ装置１０に内蔵される。これらの光学素子の中でも、電気信号のやりとりが必要とされる素子（発光器２３、光学ヘッド２４、ＦＭＤ２９等）は、フレキシブルシートを経由して互いに電気的に接続される。
【００２３】
ハウジング１１は、光ピックアップを構成する各光学素子が収容される箱形のものや、箱に類似したものを意味する。本実施の形態では、光検出器１３等の各種光学素子は、所定の位置にて所定の角度で、ハウジング１１の内部に固定されている。また、ハウジング１１は、マグネシウム（Ｍｇ）を含有するダイカスト合金が用いられて形成されている。さらに、本実施形態では、ハウジング１１は非常に薄く形成されており、その厚さ（Ｚ方向の長さ）は例えば３ｍｍ程度である。さらにまた、ハウジング１１は光ピックアップ装置１０の最外周面を構成しており、光ピックアップ装置１０を構成する各種光学素子は、ハウジング１１の再外周面よりも内側に位置している。
【００２４】
発光器２３は、ＬＤ（laser diode：レーザーダイオード）とも称され、光記録媒体への情報の記録または光記録媒体からの情報の読み出しを行うために、レーザ光を照射させる機能を有する。さらに、発光器２３は、不図示のＬＤＤ（LD driver：レーザードライバ）により制御され、ＬＤＤから電流が供給されることで、光検出器１３は所定の波長のレーザ光を所定の強度で射出する。
【００２５】
回折格子ホルダ１４は回折格子が内蔵されたホルダであり、側面にはレーザ光が通過するための開口部が設けられている。回折格子ホルダ１４に内蔵される回折格子は、光の回折を利用して、発光器２３から射出されたレーザ光を１つのメインビームと、２つのサブビームとに分離させる機能を有する。回折格子ホルダ１４の具体的な構成は図２を参照して後述する。さらに、図示はされていないが、光ピックアップ装置１０には、発光器２３から出射されたレーザ光を集めるダイバージェントレンズが装備される。
【００２６】
ハーフミラー２８は、入射されるレーザ光を部分的に透過させ、残りの部分のレーザ光を反射する機能を有する。ハーフミラー２８は、光の透過性に優れるガラスを材料として形成される。
【００２７】
ＦＭＤ２９は、Front Monitor Diode（フロントモニターダイオード）の略称であり、発光器２３からハーフミラー２８を経由して出力されるレーザ光をモニタして、発光器２３の出力を所定の値に制御するためにフィードバックを掛ける素子である。
【００２８】
光学ヘッド２４は、対物レンズ３０が組み込まれた組立体であり、対物レンズ３０は、Ｙ方向およびＺ方向に沿って微小移動が可能なように、組み込まれている。光学ヘッド２４と光記録媒体との相対的な微少位置合せは、光検出器１３の出力に応じて調整されて行われる。また、光学ヘッド２４を備える光ピックアップ装置は、Ｙ方向に沿って移動可能とされ、光学ヘッド２４を備える光ピックアップ装置は、光ディスクの内周側と外周側との間を往復移動が可能なように構成されている。
【００２９】
非点収差発生板２６、２７は、非点収差法のために設けられたものである。非点収差発生板２６、２７をレーザ光が通過することにより非点収差が発生され、このようなレーザ光が光検出器１３の上面に照射されることで、光学ヘッド２４のサーボ機構が動作される。
【００３０】
光検出器１３は、Photo Diode IC（フォトダイオードＩＣ）とも称され、ＰＤＩＣと略称される場合もある。上記した各光学素子を通過したレーザ光は、光検出器１３の上面に照射され、光検出器１３は光路の末端に位置している。図１（Ａ）に示すように、光検出器１３は、搭載プレート１２の上面に載置され、搭載プレート１２の下面は接着材を用いてハウジング１１のフレーム１６の内側側面に貼着されている。
【００３１】
以上の概略的構成の光ピックアップ装置１０に於いて、レーザ光が通過する経路（光路）は次の通りである。図１（Ｂ）を参照して、先ず、発光器２３から所定の波長のレーザ光が出射され、回折格子ホルダ１４に内蔵された分割回折格子にて回折されたのちに、ハーフミラー２８に対して照射されると、レーザ光の一部分はハーフミラー２８にて反射されて光学ヘッド２４側に入射する。一方、ハーフミラー２８を通過した残りの部分のレーザ光は、ＦＭＤ２９に照射されて、ＦＭＤ２９の出力が発光器２３にフィードバックされることにより、発光器２３から出力されるレーザ光の強度が所定の値に調整される。
【００３２】
光学ヘッド２４に入射したレーザ光は、光学ヘッド２４に内蔵された不図示のミラーによりその進行方向がＺ方向に矯正される。即ち、不図示の光記録媒体の記録面に対して略直交する方向にレーザ光の進行方向が矯正され、このようなレーザ光は、レンズ３０を通過して不図示の光記録媒体の記録面に照射される。
【００３３】
不図示の光記録媒体の記録面にて反射されたレーザ光は、再び光学ヘッド２４の内部を通過して、ハーフミラー２８、非点収差発生板２６、２７を通過したのちに、光検出器１３に照射される。そして、光検出器１３の出力に従って、光学ヘッド２４を構成するレンズホルダに装備されたレンズ３０のフォーカスサーボまたはトラッキングサーボが行われる。フォーカスサーボが行われるときは、図１（Ｂ）に示すＺ方向に沿って、光学ヘッド２４を構成するレンズ３０を備えたレンズホルダが移動される。また、トラッキングサーボが行われるときは、同図のＹ方向に沿って、光学ヘッド２４を構成するレンズ３０を備えたレンズホルダが移動される。
【００３４】
以上が、本実施形態の光ピックアップ装置１０の概略的構成およびその内部に於ける光路に関する説明である。本実施の形態では、上述したように、複数に分割された分割回折格子を使用しているので、オフセットの発生が極めて小さくなり、さらに、集光スポットの配置等に要求される精度が緩和される等のメリットがある。
【００３５】
図２を参照して、分割回折格子が内蔵された回折格子ホルダ１４の構成を説明する。図２（Ａ）は、光軸方向（レーザ光が進行する方向）に沿って第１ホルダ１５と第２ホルダ１７とを分離した状態を示す分解斜視図であり、図２（Ｂ）は、回折格子ホルダ１４に内蔵される分割回折格子２２を示す斜視図である。
【００３６】
図２（Ａ）を参照して、回折格子ホルダ１４は、略円筒状の外形形状の第１ホルダ１５と、第２ホルダ１７とから成る組立体である。第１ホルダ１５および第２ホルダ１７は、樹脂材料を射出成形するなどして形成されたものである。
【００３７】
第１ホルダ１５の端部には厚み方向に突出する円筒状の第１接続部１８が備えられている。そして、第２ホルダ１７には孔状の第２接続部１９が設けられている。第１ホルダ１５の第１接続部１８の外径は、第２ホルダ１７の第２接続部１９の内径よりも若干小さく設定されている。このことにより、第１ホルダ１５の第１接続部１８を、第２ホルダ１７の第２接続部１９に挿入嵌合しても、レーザ光の進行方向を中心軸にして両者は回動自在な状態で結合される。
【００３８】
図２（Ｂ）を参照して、分割回折格子２２は、ガラスなどのレーザ光を透過させる材料を、フォトエッチング等の加工を行うことで凹凸を設けたものである。分割回折格子２２の上部面と下部面とでは、回折格子の周期が１８０度異なっている。詳しく説明すると、分割回折格子２２が平面視されたときに、分割回折格子２２の中央部付近に設けられ分割回折格子２２を二分する直線状分割線３１（分割される方向）を境にして、分割回折格子２２を構成する平面視長方形の上部面（第一面部）の周期構造と、分割回折格子２２を構成する平面視長方形の下部面（第二面部）の周期構造とが、１８０度ほど異なっている。係る構成により、回折された１次のレーザ光、−１次のレーザ光の上半面と下半面との間に、１８０度の位相差を発生させることができる。
【００３９】
なお、光ピックアップ装置の設計／仕様などにより、二種類の平面視長方形の周期構造部を備える二分割回折格子２２に代えて、例えば、三種類の平面視長方形の周期構造部を備える三分割回折格子（不図示）や、四種類の平面視長方形の周期構造部を備える四分割回折格子（不図示）などの複数種類の平面視長方形の周期構造部を備える複数分割回折格子（不図示）が用いられてもよい。
【００４０】
上記した構成の分割回折格子２２が第１ホルダ１５の内部に所定の角度にて固定される。具体的に説明すると、分割回折格子２２の面方向は、レーザ光が入射する方向に対して垂直な方向とされ、分割線３１は、のちに第２ホルダ１７が移動される方向に対して垂直方向に延ばされるようにして、分割回折格子２２が第１ホルダ１５の内部に配置される。
【００４１】
分割回折格子の面方向は、分割回折格子２２にレーザ光が入射されるときに、レーザ光の光軸方向に対して略直交する方向とされている。また、分割回折格子２２が平面視されたときに分割回折格子２２を二分割させる分割線３１の延長方向は、のちに第２ホルダ１７が移動される方向に対して略直交する方向とされると共に、分割回折格子２２にレーザ光が入射されるときのレーザ光の光軸方向に対して略直交する方向とされている。
【００４２】
図３を参照して、回折格子ホルダ１４のハウジング１１への取り付け構造を説明する。図３（Ａ）および図３（Ｂ）は、ハウジング１１に於いて回折格子ホルダ１４が取り付けられる部分を拡大した斜視図であり、図３（Ａ）は、図１（Ａ）の状態の光ピックアップ装置１０を上方斜めから見た図であり、図３（Ｂ）は、図１（Ａ）の状態の光ピックアップ装置１０を下方斜めから見た図である。
【００４３】
図３（Ａ）を参照して、上記した構成で組み立てられた回折格子ホルダ１４は、ハウジング１１の凹状の領域にはめ込まれる。ハウジング１１には、回折格子ホルダ１４が充分に収納可能な大きさの窪み領域が設けられている。さらに、回折格子ホルダ１４に内蔵された分割回折格子の位置を適正なものにするために、ハウジング１１に設けた窪み領域はＸ方向に沿って大きく形成される。このことにより、回折格子ホルダ１４をハウジング１１にはめ込んだのちでも、Ｘ方向に沿って回折格子ホルダ１４とハウジング１１との相対的な位置を調節することが出来る。
【００４４】
また、回折格子ホルダ１４の厚みは、ハウジング１１の厚みよりも薄く形成されているので、Ｚ方向に関して回折格子ホルダ１４はハウジング１１から突出せずに収納されている構成となっている。
【００４５】
さらに、図３（Ａ）を参照して、ハウジング１１の回折格子ホルダ１４がはめ込まれる領域の周辺部には、複数の凹状領域が設けられている。ここで、凹状領域とはハウジング１１を厚み方向（Ｚ方向）に内側に窪ませた領域である。具体的には、第１ホルダ１５が収納される部分の両側に、凹状領域２１Ｃ、２１Ｄが設けられている。凹状領域２１Ｃ、２１Ｄは、第１ホルダ１５をハウジング１１に固着するために塗布される接着材が収納される部位である。さらに、第２ホルダ１７が収納される部位の両側に、凹状領域２１Ａ、２１Ｂが設けられる。凹状領域２１Ａ、２１Ｂは、第２ホルダ１７をハウジング１１に固着させるために塗布される接着材が収納される部位である。これらの凹状領域を設けることで、回折格子ホルダ１４を接着するために使用される接着材が凹状領域に収納され、接着材の厚み方向（Ｚ方向）への突出が抑止される。
【００４６】
図３（Ｂ）を参照して、回折格子ホルダ１４が収納される部分の光ピックアップ装置１０を他の主面から見ると、回折格子ホルダ１４の第２ホルダ１７は、ハウジング１１のフレーム１６によりカバーされており、第１ホルダ１５は厚み方向に露出している。このことにより、回折格子ホルダ１４のハウジング１１の厚み方向への離脱を防止できる。さらに、第１ホルダ１５はフレーム１６によりカバーされていないので、回折格子ホルダ１４をハウジング１１にはめ込んだのちの、第１ホルダ１５の回動が可能となっている。
【００４７】
フレーム１６を部分的に除去することで凹状領域２１Ｅが設けられており、この凹状領域２１Ｅが設けられた領域に面する第２ホルダ１７を厚み方向（Ｚ方向）に突出させて、突出部２０が形成されている。そして、凹状領域２１Ｅと突出部２０とにより接着材を貯留させる領域が構成されている。凹状領域２１Ｅに突出部２０が面することで、この領域に塗布される接着材の第１ホルダ１５側への流出が防止される。例えば、凹状領域２１Ｅに塗布された接着材が第１ホルダ１５側に流出し、第１ホルダ１５と第２ホルダ１７との境界に侵入して両者が接合されると、第２ホルダ１７を回動調整することが困難になる問題が発生する。本実施の形態では、突出部２０を設けることで、接着材の流出を抑止して、この問題を回避している。さらに、突出部２０にも接着材が接触することで、接着材と第２ホルダ１７とが接触する面積が大きくなり、両者の接続強度が向上する。
【００４８】
突出部２０は、上記した接着材の漏出を抑止する機能を有すると共に、回折格子ホルダ１４のＸ方向への位置調整を行うときに、位置調整用治具が当接する部位としても機能する。不図示の挟持可能な位置調整用治具によって第２ホルダ１７の上下が挟まれ、不図示の位置調整用治具により、第２ホルダ１７の突出部２０を押圧することで、回折格子ホルダ１４のＸ方向に沿った位置調整が行われる。
【００４９】
さらに、突出部２０は、第２ホルダ１７の第１ホルダ側の端部付近において、第２ホルダ１７の外面を突出させて設けられている。このような位置に突出部２０を設けることで、凹状領域２１Ｅに収納可能な接着材の量を増大させて、塗布された接着材の第１ホルダ１５側への流出を防止している。
【００５０】
ここで、上記接着材としては、紫外線が照射されることにより硬化する性質を有する所謂紫外線硬化型接着材を採用することが好適である。紫外線硬化型接着材を接着材として採用することで、紫外線を外部から照射することで、塗布された液状の接着材を素早く固化させることが可能となり、生産性を向上できると共にハウジング１１に収納される回折格子ホルダ１４の位置精度を向上させることができる。ここで、紫外線硬化型接着材としては、エポキシ系のものとアクリル系のものがある。
【００５１】
さらに、本実施の形態に於いて、回折格子ホルダ１４を固着させる接着材として採用される紫外線硬化型接着材としては、アクリル系のものが好適である。アクリル系の紫外線硬化型接着材は、一般的に、エポキシ系のものと比較すると耐薬品性や耐湿性、機械的強度等の点に於いて若干劣る。しかしながら、アクリル系の樹脂材料は安価であり、さらに回折格子ホルダ１４に要求される位置精度もそれほど高くない。従って、本実施の形態ではアクリル系の紫外線硬化型接着材を使用して回折格子ホルダ１４をハウジング１１に固着している。このことにより、光ピックアップ装置１０の製造コストを低減できる。
【００５２】
一方、例えば、図１に示すように、光検出器１３が搭載された搭載プレート１２はハウジング１１に接着されるが、光検出器１３に要求される位置精度が非常にシビアであるため、エポキシ系の紫外線硬化型接着材を用いて搭載プレート１２はハウジング１１に接着される。このように、要求される位置精度に応じて、アクリル系の接着材とエポキシ系の接着材とを使い分けることで、光ピックアップ装置１０の品質を確保しつつ製造コストを低減させることができる。
【００５３】
以上が光ピックアップ装置１０の構成である。このように構成される光ピックアップ装置１０は、回折格子ホルダ１４をハウジング１１に組み込んだのちでも、第１ホルダ１５を回動調整することができるので、回折格子ホルダ１４に内蔵された分割回折格子を所定の位置にて所定の角度に正確に配置させることができる。
【００５４】
図４、図５および上記した各図を参照して、光ピックアップ装置１０の製造方法を以下に説明する。図４は、回折格子ホルダ１４がハウジング１１に取り付けられる状態を示す斜視図であり、図５は、回折格子ホルダ１４の位置調整に用いられる位置調整用治具の形状を示す図である。
【００５５】
光ピックアップ装置１０の製造は、光ピックアップ装置１０を構成する各光学素子をハウジング１１に収納して接着材により固定することで達成される。これらの光学素子の中でも回折格子ホルダ１４は、内蔵される分割回折格子が所定の位置および角度にて配置されるように調整されたのちに、ハウジング１１に固着される。さらに、回折格子ホルダ１４のハウジング１１への固着は、最終の工程にて行われる必要は無く、ハーフミラーや光検出器の固着を行う前の中間的工程として行われても良い。
【００５６】
回折格子ホルダ１４のハウジング１１への固着を順番に説明すると、第１ホルダ１５および第２ホルダ１７から成る回折格子ホルダ１４を組み立てる工程と、回折格子ホルダ１４をハウジング１１の窪み部に収納させる工程と、回折格子ホルダ１４のＸ方向への位置調整を行ったのちに第２ホルダ１７をハウジング１１に固着する工程と、回折格子ホルダ１４の第１ホルダ１５を回動調整したのちに第１ホルダ１５をハウジング１１に固着する工程とから成る。これらの各工程を以下にて図を参照して説明する。
【００５７】
先ず、図２（Ａ）を参照して、第１ホルダ１５の第１接続部１８を、第２ホルダ１７の第２接続部１９に嵌合させて回折格子ホルダ１４を組み立てる。ここで、第１ホルダ１５と第２ホルダ１７とは、回動自在な状態で組み立てられている。
【００５８】
次に、図３（Ａ）を参照して、組み立てられた回折格子ホルダ１４をハウジング１１の所定の窪み部に収納させる。この状態では、回折格子ホルダ１４はただ単にハウジング１１に収納されたのみであり、機械的な固定は行われていない。
【００５９】
次に、図３（Ａ）（Ｂ）を参照して、Ｘ方向に於ける回折格子ホルダ１４の位置調節を行う。具体的には、回折格子ホルダ１４の第２ホルダ１７の外部を突出させた突出部２０を含む周辺部を不図示の挟持可能な位置調整用治具にて所定量移動させることにより、回折格子ホルダ１４をＸ方向に沿って所定量変位させる。
【００６０】
なお、光ピックアップ装置の設計／仕様などにより、例えば図５に示す位置調整用治具４０が用いられて、回折格子ホルダ１４の第２ホルダ１７のＸ方向に沿った位置調整が行われてもよい。
【００６１】
ここで、図５を参照して、回折格子ホルダ１４の位置調整に用いられる偏心ピンである位置調整用治具４０の構成を説明する。図５に示す位置調整用治具４０は、回折格子ホルダ１４と接する略円柱形をした細径の第１ピン４１と、第１ピン４１に続き第１ピン４１よりも大きい直径であって略円柱形をした太径の第２ピン４２と、第２ピン４２に続き第２ピン４２よりも大きい直径の略円柱形をした治具本体４３とを備えるものとして形成されている。
【００６２】
位置調整用治具４０の左側の端部は、細径の第１ピン４１と、太径の第２ピン４２とを備えるものとして形成されている。また、細径の第１ピン４１は、位置調整用治具４０の長手方向に沿った中心線に対し、偏芯した状態で太径の第２ピン４２から突設された偏芯ピンとして形成されている。
【００６３】
図３（Ａ）（Ｂ）に示す回折格子ホルダ１４のＸ方向への位置調整を行う方法について詳細に説明する。先ず、ハウジング１１に収納された回折格子ホルダ１４に発光器２３からレーザ光を照射させ、回折格子ホルダ１４に内蔵された分割回折格子により回折された３つのレーザ光を検出する。このレーザ光は、不図示の制御手段により検出され、Ｘ方向に沿った分割回折格子の補正量が算出される。そして、この補正量に応じて回折格子ホルダ１４をＸ方向に沿って移動させる。分割回折格子が平面視されたときに分割回折格子を二分割させる分割線の延長方向に対して略直交する方向とされると共に、分割回折格子にレーザ光が入射されるときのレーザ光の光軸方向に対して略直交する方向に沿って、回折格子ホルダ１４を移動させる。この移動のために第２ホルダ１７を上下挟持可能な不図示の位置調整用治具を使用する。
【００６４】
図３（Ａ）（Ｂ）を参照して、第２ホルダ１７を上下挟持可能な不図示の位置調整用治具を用いて回折格子ホルダ１４を移動させる方法は次の通りである。先ず、回折格子ホルダ１４をＸ方向に沿って移動させるために、第２ホルダ１７を挟持可能な不図示の位置調整用治具を、突出部２０のＸ方向に於ける端部側面、又は、突出部２０および突出部２０の周辺部に当接させる。次に、不図示の位置調整用治具をＸ方向に沿って動かすと、この位置調整用治具により突出部２０がＸ方向に沿って押圧される。このことにより、第２ホルダ１７を含む回折格子ホルダ１４全体がＸ方向に沿って所定量変位され、その位置が正規の位置になるように補正される。例えば、図２（Ｂ）を参照して、分割線３１により分割される分割回折格子２２の上部領域と下部領域に照射されるレーザ光が所定の面積になるように、回折格子ホルダ１４の位置補正が行われる。
【００６５】
光ピックアップ装置の設計／仕様などにより、例えば図５に示す位置調整用治具４０が用いられて、回折格子ホルダ１４の第２ホルダ１７のＸ方向に沿った位置調整が行われてもよい。例えば、図３（Ａ）（Ｂ）に示す回折格子ホルダ１４をＸ方向に沿って移動させるために、先ず、位置調整用治具４０の第１ピン４１を第２ホルダ１７の凹部または凸部に合せる。次に、位置調整用治具４０の治具本体４３を回動させると、治具本体４３とは偏心して位置している第１ピン４１により、第２ホルダ１７の凹部または凸部がＸ方向に沿って押圧される。このように回折格子ホルダ１４がＸ方向に沿って位置補正されてもよい。
【００６６】
次に、接着材を用いて第２ホルダ１７をハウジング１１に接着する。具体的には、図３（Ａ）を参照して、ハウジング１１の一方の面に露出する第２ホルダ１７の両端と、ハウジング１１との間に接着材を塗布する。ここでは、ハウジング１１を窪ませて２つの凹状領域２１Ａ、２１Ｂが設けられており、これらの凹状領域は回折格子ホルダ１４が収納される窪み部と連続している。第２ホルダ１７の固着に用いられる接着材は、凹状領域２１Ａ、２１Ｂに収納されるので、使用される接着材の外部（特に厚み方向）への突出が抑制されている。
【００６７】
さらに、図３（Ｂ）を参照して、ハウジング１１の他の面に露出する第２ホルダ１７とハウジング１１のフレーム１６との間に接着材を塗布する。ここでは、フレーム１６を部分的に切り欠いて形成された略矩形箱状の凹状領域２１Ｅに接着材を塗布する。ここで、接着材が塗布される略矩形箱状の凹状領域２１Ｅは、紙面上にて上下側方および右側側方がフレーム１６の側壁によって囲まれ、左側側方が第２ホルダ１７の外壁に設けた略矩形板状の突出部２０により囲まれている。従って、凹状領域２１Ｅに塗布された液状の接着材の外部への流出は抑止されている。
【００６８】
本工程では、回折格子ホルダ１４の位置を固定するために、第２ホルダ１７は接着材を用いてハウジング１１に固着される必要がある。しかしながら、回動方向の回折格子ホルダ１４の調整を行うために、第１ホルダ１５の回動自在な状態は保持される必要がある。ここで、上記したように、凹状領域２１Ｅに塗布された液状の接着材が第１ホルダ１５側に流出して、第１ホルダ１５と第２ホルダ１７との境界に侵入して両者が固着されると、第１ホルダ１５の回動調整ができなくなってしまう虞がある。本実施形態では、凹状領域２１Ｅに面する第２ホルダ１７の外面に突出部２０を設けることで、この突出部２０に塗布された接着材の流出を抑止している。このことにより、第２ホルダ１７を接着材によりハウジング１１に固着しても、第１ホルダ１５は回動自在な状態に維持される。
【００６９】
ここで、第２ホルダ１７の固着に使用される接着材としては、上記したアクリル系の紫外線硬化型接着材が好適であり、この種の接着材が使用された場合は、塗布された接着材に紫外線が照射されて硬化される。
【００７０】
次に、図３（Ａ）を参照して、回折格子ホルダ１４の第１ホルダ１５を回動方向に調整したのちに第１ホルダ１５の位置を固定する。具体的には、回折格子ホルダ１４を通過するレーザ光をモニタリングしつつ、レーザ光が回折格子ホルダ１４に内蔵される分割回折格子の所定の位置に照射されるように、第１ホルダ１５を位置調整用治具によって回動させる。
【００７１】
図３（Ａ）（Ｂ）に示す第１ホルダ１５の回動は、図５に構成を示した位置調整用治具４０の第１ピン４１を、第１ホルダ１５の凸状部位または凹状部位に当接させて、治具本体４３を回動させることにより行われる。上記した工程にて回折格子ホルダ１４の第２ホルダ１７は既にハウジング１１に固着されているが、第１ホルダ１５は未だハウジング１１に固着されていないので、第１ホルダ１５は回動可能な状態である。第１ホルダ１５の回動調整が終了したのちに、ハウジング１１の凹状領域２１Ｃ、２１Ｄに接着材を塗布し、塗布された接着材に紫外線を照射させて接着剤を硬化させる。
【００７２】
以上の工程により、回折格子ホルダ１４におけるＸ方向および回動方向に対する位置調整が行われて、回折格子ホルダ１４は、ハウジング１１の所定の位置に固着される。
【００７３】
回折格子ホルダ１４がハウジング１１に固着された後は、残りの光学素子（ハーフミラーや光検出器等）をハウジング１１に固着して、光ピックアップ装置１０が完成する。
【００７４】
上記した光ピックアップ装置１０を備える光ディスク装置は、例えば、ノート型またはデスクトップ型のコンピュータ、ＣＤプレーヤ、ＤＶＤプレーヤ等の音響機器等に装備可能である。
【符号の説明】
【００７５】
１０                    光ピックアップ装置
１１                    ハウジング
１２                    搭載プレート
１３                    光検出器
１４                    回折格子ホルダ
１５                    第１ホルダ
１６                    フレーム
１７                    第２ホルダ
１８                    第１接続部
１９                    第２接続部
２０                    突出部
２１Ａ、２１Ｂ、２１Ｃ、２１Ｄ、２１Ｅ      凹状領域
２２                    分割回折格子
２３                    発光器
２４                    光学ヘッド
２６                    非点収差発生板
２７                    非点収差発生板
２８                    ハーフミラー
２９                    ＦＭＤ
３０                    レンズ
３１                    分割線
４０                    位置調整用治具
４１                    第１ピン
４２                    第２ピン
４３                    治具本体
【図１】
2011070771.tif 000003
【図２】
2011070771.tif 000004
【図３】
2011070771.tif 000005
【図４】
2011070771.tif 000006
【図５】
2011070771.tif 000007
【図６】
2011070771.tif 000008
【手続補正書】
【提出日】平成23年2月10日(2011.2.10)
【手続補正１】
【補正対象書類名】明細書
【補正対象項目名】０００３
【補正方法】変更
【補正の内容】
【０００３】
図６を参照して、発光源１０１は、記録再生の光束を放射させる半導体レーザーから成る。コリメータレンズ１０２は、発光源１０１から発生した光ビームを並行ビームに変換する機能を有する。ビームスプリッタ１０３は、コリメータレンズ１０２からの並行ビームを透過させると共に、光ディスク１０９からの反射ビームを反射させる機能を有する。対物レンズ１０８は、光ビームを光ディスク１０９の情報記録面に集光させる機能を有し、さらに、光ディスク１０９からの反射ビームを並行ビームに変換するものである。光束レンズ１０４は、反射ビームを適当な大きさに絞り込むレンズである。光検出器１０５は、２つに分割された領域を有し、これらの領域の出力差は、差動増幅器１０６によって取り出されて、トラッキング誤差信号となる。さらに、このトラッキング誤差信号は、増幅器１０７によって増幅され、増幅された信号により対物レンズ１０８の誤差が調整される。